(57)【要約】【課題】近年、自動的にテレビ番組等（以下、「録画タイトル」）を録画する記録再生装置が存在するが、録画してから一定の時間が経過した録画タイトルを自動的に消去する機能を持つものも多い。このような記録再生装置において、近日中に自動消去する予定の録画タイトルについてアイコンを表示してユーザに知らせるようになっているものがあるが、録画リスト上には録画タイトルのジャンル等もアイコン表示される場合もあり、録画リスト上が煩雑となり、結果的にユーザが認識しづらくなる。【解決手段】所定の録画タイトルを録画後の時間経過に応じて自動消去するコンテンツ記録再生装置であって、録画タイトルが消去されるまでの消去時間に応じて消去が近づいている録画タイトルを表示するサムネイル画像を劣化加工することを特徴とするコンテンツ記録再生装置を提案する。【選択図】図１
2008035147.tif 000002
【特許請求の範囲】
【請求項１】
所定の録画タイトルを録画後の時間経過に応じて自動消去する自動消去部と、
録画タイトルが消去されるまでの時間に関する情報である消去時間情報を管理する消去時間情報管理部と、
録画タイトルをＧＵＩにて表示するサムネイル画像を保持するサムネイル画像保持部と、
消去時間情報に応じて消去が近づいている録画タイトルを表示するサムネイル画像を劣化加工するサムネイル加工部と、
を有するコンテンツ記録再生装置。
【請求項２】
サムネイル加工部は、サムネイル画像の劣化加工処理としてサムネイル画像を退色させる処理を実行する退色手段を有することを特徴とする請求項１に記載のコンテンツ記録再生装置。
【請求項３】
サムネイル加工部は、劣化加工されたサムネイル画像を劣化加工前の状態に戻すサムネイル加工取消手段を有する請求項１又は２に記載のコンテンツ記録再生装置。
【請求項４】
保持されているサムネイル画像を他のサムネイル画像に変更するサムネイル画像変更部を有し、
サムネイル加工部は、サムネイル画像変更部にて変更されたサムネイル画像に対して、変更前のサムネイル画像と同程度の劣化加工を施す変更サムネイル加工手段を有する
請求項１から３のいずれか一に記載のコンテンツ記録再生装置。
【請求項５】
自動消去対象となる録画タイトルと、自動消去の対象とならない録画タイトルとを自動消去部から識別可能に保持する録画タイトル保持部をさらに有する請求項１から４のいずれか一に記載のコンテンツ記録再生装置。
【請求項６】
サムネイル加工部におけるサムネイル画像の劣化加工の実行の要否を決定するサムネイル劣化加工実行決定部を有する請求項１から５のいずれか一に記載のコンテンツ記録再生装置。
【請求項７】
サムネイル加工部は、サムネイル画像の劣化加工に関するパラメータを設定する劣化加工パラメータ設定手段を有する請求項１から６のいずれか一に記載のコンテンツ記録再生装置。
【請求項８】
録画タイトルをＧＵＩにて表示するサムネイル画像を保持するコンテンツ記録再生装置の動作方法であって、
所定の録画タイトルを録画後の時間経過に応じて自動消去する自動消去ステップと、
録画タイトルが消去されるまでの時間に関する情報である消去時間情報を取得する消去時間情報取得ステップと、
消去時間情報に応じて消去が近づいている録画タイトルを表示するサムネイル画像を劣化加工するサムネイル加工ステップと、
を有するコンテンツ記録再生装置の動作方法。
【請求項９】
サムネイル加工ステップは、サムネイル画像の劣化加工処理としてサムネイル画像を退色させる処理を実行する退色サブステップを有することを特徴とする請求項８に記載のコンテンツ記録再生装置の動作方法。
【請求項１０】
録画タイトルが録画されてから経過した時間に関する情報である録画後経過時間情報を管理する録画後経過時間情報管理部と、
録画タイトルをＧＵＩにて表示するサムネイル画像を保持する第二サムネイル画像保持部と、
録画後経過時間情報に応じて録画後経過時間が長時間となればなるほど録画タイトルを表示するサムネイル画像を劣化加工する第二サムネイル加工部と、
を有するコンテンツ記録再生装置。
【請求項１１】
第二サムネイル加工部は、サムネイル画像の劣化加工処理としてサムネイル画像を退色させる処理を実行する第二退色手段を有することを特徴とする請求項１０に記載のコンテンツ記録再生装置。
【請求項１２】
第二サムネイル加工部は、劣化加工されたサムネイル画像を劣化加工前の状態に戻す第二サムネイル加工取消手段を有する請求項１０又は１１に記載のコンテンツ記録再生装置。
【請求項１３】
保持されているサムネイル画像を他のサムネイル画像に変更する第二サムネイル画像変更部を有し、
第二サムネイル加工部は、第二サムネイル画像変更部にて変更されたサムネイル画像に対して、変更前のサムネイル画像と同程度の劣化加工を施す第二変更サムネイル加工手段を有する
請求項１０から１２のいずれか一に記載のコンテンツ記録再生装置。
【請求項１４】
第二サムネイル加工部におけるサムネイル画像の劣化加工の実行の要否を決定する第二サムネイル劣化加工実行決定部を有する請求項１０から１３のいずれか一に記載のコンテンツ記録再生装置。
【請求項１５】
第二サムネイル加工部は、サムネイル画像の劣化加工に関するパラメータを設定する第二劣化加工パラメータ設定手段を有する請求項１０から１４のいずれか一に記載のコンテンツ記録再生装置。
【請求項１６】
録画タイトルをＧＵＩにて表示するサムネイル画像を保持するコンテンツ記録再生装置の動作方法であって、
録画タイトルが録画されてから経過した時間に関する情報である録画後経過時間情報を取得する録画後経過時間情報取得ステップと、
録画後経過時間情報に応じて録画後経過時間が長時間となればなるほど録画タイトルを表示するサムネイル画像を劣化加工する第二サムネイル加工ステップと、
を有するコンテンツ記録再生装置の動作方法。
【請求項１７】
第二サムネイル加工ステップは、サムネイル画像の劣化加工処理としてサムネイル画像を退色させる処理を実行する第二退色サブステップを有することを特徴とする請求項１６に記載のコンテンツ記録再生装置の動作方法。
【発明の詳細な説明】
【技術分野】
【０００１】
録画したコンテンツを録画後の時間経過に応じて自動消去するコンテンツ記録再生装置であって、消去が近づいている録画タイトルを表示するサムネイル画像を劣化加工することを特徴とするコンテンツ記録再生装置に関する。
【背景技術】
【０００２】
近年、ＤＶＤレコーダやＨＤＤレコーダにおいてジャンルを指定したりユーザの嗜好を学習することにより自動的にテレビ番組等（以下、「録画タイトル」という）を録画する記録再生装置が存在し、それに伴い、記録媒体の空き容量を確保するため、録画してから一定の時間が経過した録画タイトルを自動的に記録媒体から消去する機能を持つものも多い。このような記録再生装置において、例えば非特許文献１のように、近日中に自動消去する予定の録画タイトルについてアイコンを表示してユーザに知らせるようになっているものが存在する。
【非特許文献１】ソニー株式会社、"<コクーン>ホームページ"、［online］、ソニー株式会社、［平成１８年７月１０日検索］、インターネット<URL： http://www.sony.jp/products/Consumer/cocoon/index.html>
【発明の開示】
【発明が解決しようとする課題】
【０００３】
しかしながら、録画リスト上には録画タイトルのジャンルや録画画質などもアイコン表示されることが多く、さらに消去予定を示すアイコンを表示することで、録画リスト画面上がさらに煩雑となり、結果的にユーザが認識しづらくなるという欠点がある。
【課題を解決するための手段】
【０００４】
そこで、本発明においては、所定の録画タイトルを録画後の時間経過に応じて自動消去するコンテンツ記録再生装置であって、録画タイトルが消去されるまでの消去時間に応じて消去が近づいている録画タイトルを表示するサムネイル画像を劣化加工することを特徴とするコンテンツ記録再生装置を提案する。劣化加工処理は、サムネイル画像を退色させる処理であってもよい。また、劣化加工されたサムネイル画像を劣化加工前の状態に戻すことができるようになっていてもよい。また、保持されているサムネイル画像を他のサムネイル画像に変更可能であり、サムネイル画像が変更された場合、変更されたサムネイル画像に対して変更前のサムネイル画像と同程度の劣化加工を施すようになっていてもよい。また、自動消去の対象となる録画タイトルと、自動消去の対象とならない録画タイトルとを識別できるようになっていてもよい。また、サムネイル画像の劣化加工の実行の要否を決定できるようになっていてもよい。また、サムネイル画像の劣化加工に関してパラメータを設定できるようになっていてもよい。さらに、録画タイトルが録画されてから経過した時間に応じて録画タイトルを表示するサムネイル画像を劣化加工することを特徴とするコンテンツ記録再生装置についても提案する。
【発明の効果】
【０００５】
本発明のコンテンツ記録再生装置によれば、録画タイトルを自動消去可能なコンテンツ記録再生装置において、所定の録画タイトルの自動消去が近づいていることを従来のようなアイコンではなくサムネイル画像を劣化加工することにより示すことができるので、録画リスト上が煩雑になることもなく、ユーザも一見して自動消去が近い録画タイトルを把握することができる。また、録画タイトルが録画されてから経過した時間に応じてサムネイル画像を劣化加工するコンテンツ記録再生装置においても、同様の効果が期待できる。
【発明を実施するための最良の形態】
【０００６】
本発明を実施するための最良の形態について図面を用いて詳細に説明する。なお、本発明はこれら実施の形態に何ら限定されるものではなく、その要旨を逸脱しない範囲において、種々なる態様で実施しうる。実施形態１は、主に請求項１、８などについて説明する。実施形態２は、主に請求項２、９、１１、１７などについて説明する。実施形態３は、主に請求項３、１２などについて説明する。実施形態４は、主に請求項４、１３などについて説明する。実施形態５は、主に請求項５などについて説明する。実施形態６は、主に請求項６、１４などについて説明する。実施形態７は、主に請求項７、１５などについて説明する。実施形態８は、主に請求項１０、１６などについて説明する。
（実施形態１）
【０００７】
（実施形態１：概要）本実施形態は、所定の録画タイトルを録画後の時間経過に応じて自動消去するコンテンツ記録再生装置であって、録画タイトルが消去されるまでの消去時間に応じて消去が近づいている録画タイトルを表示するサムネイル画像を劣化加工することを特徴とするコンテンツ記録再生装置について説明する。
【０００８】
（実施形態１：構成）本実施形態に係るコンテンツ記録再生装置の機能ブロック図を図１に例示する。コンテンツ記録再生装置（０１００）は、「自動消去部」（０１０１）と、「消去時間情報管理部」（０１０２）と、「サムネイル画像保持部」（０１０３）と、「サムネイル加工部」（０１０４）と、を有する。コンテンツ記録再生装置（０１００）は、コンテンツを記録し再生することが可能な装置であればよく、例えば、ＤＶＤレコーダ、ＨＤＤレコーダ、パーソナルコンピュータ、携帯電話、等が該当する。なお、「コンテンツ」とは、映像や音声、音楽等を含み、さらに、文字情報、アプリケーションプログラム、またはそれらの複合形で表現される情報等を含むものを意味する。具体的には、例えば、テレビ番組、ＥＰＧ等のテレビ番組情報、データ放送、ネットワーク上にて配信される動画コンテンツや静止画コンテンツ等が該当する。
【０００９】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。さらに具体的には、図２５は一般的なコンピュータの構成を例示する図でありコンピュータが主にＣＰＵ（２５１０）、入出力インタフェース（Ｉ／Ｏ）（２５２０）、ハードディスク（以下、「ＨＤＤ」という）（２５３０）、一時記憶メモリ（ＲＡＭ）（２５４０）、ＲＯＭ（２５５０）等から構成されることを示しているが、本件発明に係るコンテンツ記録再生装置は図２５と同様の構成により実現可能である。（明細書の全体を通じて同様である。）
【００１０】
「自動消去部」（０１０１）は、所定の録画タイトルを録画後の時間経過に応じて自動消去する機能を有する。「録画タイトル」とは、「コンテンツ」と同義である。すなわち、「録画タイトル」とは、映像や音声、音楽等を含み、さらに、文字情報、アプリケーションプログラム、またはそれらの複合形で表現される情報等を含むものを意味する。具体的には、例えば、テレビ番組、ＥＰＧ等のテレビ番組情報、データ放送、ネットワーク上にて配信される動画コンテンツや静止画コンテンツ等が該当する。また、録画タイトルはＤＶＤやＨＤＤ等の記録装置に記録されることが想定されるが、「録画後に時間経過に応じて自動消去する」とは、例えば、録画タイトルを録画してから所定の時間が経過すると自動的にＤＶＤやＨＤＤ等から録画タイトルを消去することが該当する。この際の「所定の時間」は、可変であってもよいし不変であってもよい。例えば、あらかじめコンテンツ記録再生装置に設定されており変更不可となっていてもよいし、コンテンツ記録再生装置のユーザが変更できるようになっていてもよい。また、録画タイトルごとに設定できるようになっていると便利である。なお、録画タイトルの時間経過に関しては、後述の消去時間情報管理部（０１０２）にて管理されることとなるため、後に詳述する。自動消去部の具体的な処理としては、例えば、入力インタフェースを介して録画タイトルが入力されてＨＤＤ等の所定の記憶領域に格納されており、消去時間情報管理部（０１０２）にて管理されている消去時間情報に応じて所定の録画タイトルが消去すべきとなった場合には、該当する録画タイトルをＨＤＤ等の所定の記憶領域から消去する。また、自動消去部はこのような処理をＣＰＵに実行させるためのプログラムを含んでいてもよい。
【００１１】
「消去時間情報管理部」（０１０２）は、録画タイトルが消去されるまでの時間に関する情報である消去時間情報を管理する機能を有する。「管理」とは、保持、変更、削除、追加を意味する。「消去時間情報」は、録画タイトルが消去されるまでの時間そのものを表す情報であってもよいが、録画タイトルが録画されてから経過した時間や録画タイトルが録画された日時などを表す情報であってもよい。すなわち録画タイトルをいつ消去するべきかを知るための情報であればよく、例えば録画タイトルが録画されてから一定の時間が経過すると消去されるようになっている場合には、録画タイトルが録画されてから経過した時間や録画タイトルが録画された日時が分かれば、録画タイトルが消去されるまでの時間を算出することができる。図２は、消去時間情報の一例を示す。図２においては、録画されている録画タイトルを表す「録画タイトル名」と、各録画タイトルが録画された日時である「録画日時」が保持されている。ここで、録画タイトルが録画されてから１４日経過すると消去されるようになっており、現在時刻が２００６年６月１４日１２：００であるとすると、‘ドラマＡ’は６月１６日１３：００に消去されることとなり消去されるまでの時間は２日と１時間であることが算出できる。消去時間情報管理部は、例えばこのような消去時間情報をＨＤＤ等の所定の記憶領域に格納することにより実現可能である。
【００１２】
「サムネイル画像保持部」（０１０３）は、録画タイトルをＧＵＩにて表示するサムネイル画像を保持する機能を有する。「サムネイル画像」は、録画タイトルのあるシーン（静止画）が自動的にサムネイル画像として取得されるようになっていてもよいし、コンテンツ記録再生装置のユーザがサムネイル画像とするシーンを指定したり、所定の画像をサムネイル画像として設定する等となっていてもよい。図３は、サムネイル画像保持部において保持される情報の具体例を示す。図３においては、録画されている録画タイトルを表す「録画タイトル名」と、録画タイトルをＧＵＩにて表示する「サムネイル画像」が保持されている。なお、「サムネイル画像」は、実際にはサムネイル画像を構成する画像データがＨＤＤ等の所定の記憶領域に格納されているが、図３においては概念的に画像データによって実現されるサムネイル画像を図示している。録画リスト上では、例えば図３のような情報を利用して録画タイトル名とサムネイル画像を表示することで、現在録画されている録画タイトルをリスト表示することができる。サムネイル画像保持部は、例えばこのように録画タイトルとサムネイル画像の画像データを関連付けてＨＤＤ等の所定の記憶領域に格納することにより実現可能である。
【００１３】
「サムネイル加工部」（０１０４）は、消去時間情報に応じて消去が近づいている録画タイトルを表示するサムネイル画像を劣化加工する機能を有する。「劣化加工」とは、例えば、サムネイル画像の彩度を落として退色させて色褪せたように加工したり、サムネイル画像の一部をトリミング等して破れているように加工したり、全体を黒ずませる等して汚れたように加工したりする場合等が該当する。図４は、劣化加工の具体例を示す。サムネイル画像０４０１が元のサムネイル画像であるとする。（ａ）は色褪せたように劣化加工した場合、（ｂ）は破れているように劣化加工した場合、（ｃ）は汚れたように劣化加工した場合を例示している。また、これらの劣化加工を組み合わせても良い。例えば色褪せたように加工し、さらにトリミング等して破れているように加工してもよい。また、「消去時間情報に応じて消去が近づいている」とは、すなわち、自動消去部（０１０１）による自動消去が近づいていることを意味する。また、消去時間情報に応じてサムネイル画像を劣化加工する場合にいくつかの段階に分けて劣化加工するようになっていてもよい。このためには、例えば図５に示すように消去されるまでの時間（以下、「消去時間」という）と消去時間に対応する劣化加工方法を関連付けて保持しておけばよい。図５においては、消去時間が１０日未満となった場合には劣化加工として３０％退色させ、消去時間が７日未満となった場合には劣化加工として７０％退色させ、消去時間が５日未満となった場合には劣化加工として７０％退色させてさらに３０％トリミングし、消去時間が７日未満となった場合には劣化加工として７０％退色させてさらに７０％トリミングするように設定されている。なお、サムネイル画像０５０１は、各劣化加工を施した場合の具体例である。このようにサムネイル画像に対して段階的に劣化加工を施して表示すると、ユーザは直感的にどの録画タイトルがより消去に近づいているかが把握できるため便利である。なお、サムネイル画像を劣化加工する場合には、サムネイル画像保持部（０１０３）にて保持されているサムネイル画像を直接加工する場合と、保持されているサムネイル画像を原画として保持しておき、劣化加工したサムネイル画像は別途、ＲＡＭ等の所定の記憶領域に保持する場合とが想定される。また、例えば７０％退色させてさらに３０％トリミングを行なう場合では、７０％退色させたサムネイル画像をＲＡＭ等に保持しておき、保持しておいたサムネイル画像をさらに３０％トリミングしてもよいし、サムネイル画像保持部にて保持されているサムネイル画像を原画として、原画を７０％退色させてさらに３０％トリミングしてもよい。
【００１４】
図６は、図５における設定に応じて劣化加工されたサムネイル画像によって録画リストが表示される場合の具体例を示す。また、各録画タイトルの録画日時は図２に例示した録画日時であり、各録画タイトルに対応するサムネイル画像は図３に例示したサムネイル画像であるとする。なお、現在時刻は２００６年６月１４日１２：００であり、録画タイトルは録画されてから１４日経過すると消去されるように設定されているとする。 ‘ドラマＡ’は録画日時が６月２日（金）１３：００であるので、６月１６日１３：００に自動消去されることとなり消去時間は２日と１時間である。よって、消去時間が３日未満であるので、７０％退色させてかつ７０％トリミングされて表示される。また‘野球中継Ｙ’は録画日時が６月６日（火）１８：００であるので、６月２０日１８：００に自動消去されることとなり消去時間は６日と６時間である。よって、消去時間が５日以上７日未満であるので、７０％退色させて表示される、という具合である。なお、図６において破線で囲まれている部分は説明のため便宜的に図示しており、実際には録画リスト上には表示されなくともよい。サムネイル加工部の具体的な処理としては、例えばＨＤＤ等の所定の記憶領域に保持されている消去時間情報が変化したことをトリガーとして、劣化加工を施すべきか否かを判断する。判断結果が劣化加工を施すべきとの判断であった場合には、ＨＤＤ等の所定の記憶領域に保持されているサムネイル画像の画像データを読出し、所定の劣化加工を施してＲＡＭやＨＤＤ等の所定の記憶領域に格納する。また、サムネイル加工部はこのような処理をＣＰＵに実行させるためのプログラムを含んでいてもよい。
【００１５】
（実施形態１：処理の流れ）図７は、本実施形態に係るコンテンツ記録再生装置における処理の流れを示すフロー図を例示する。コンテンツ記録再生装置は、各々の録画タイトルについて以下の処理を実行する。
【００１６】
最初に、ステップＳ０７０１において消去時間情報を取得する。この処理は、主に消去時間情報管理部によって実行される。次に、ステップＳ０７０２において消去時間情報に応じてサムネイル画像を劣化加工する。この処理は、主にサムネイル画像加工部によって実行される。次に、ステップＳ０７０３において録画タイトルが消去すべきであるかを判断する。ここでの判断が消去すべきとの判断結果であった場合にはステップＳ０７０４に移行する。ここでの判断が消去すべきではないとの判断であった場合には処理を終了する。次に、ステップＳ０７０４において録画タイトルを自動消去する。この処理は、主に自動消去部によって実行される。
【００１７】
なお、図７のフロー図は、計算機に実行させるプログラムの処理フロー図とみなすことも可能である。さらに、このようなプログラムをフレキシブルディスク等の媒体に記録することも可能である。（明細書の全体を通じて同様である。）
【００１８】
（実施形態１：効果）本実施形態に係るコンテンツ記録再生装置は、消去が近づいている録画タイトルを、サムネイル画像を劣化加工して表示することにより示すことができるので、録画リスト上が煩雑にならず、ユーザも一見して消去が近い録画タイトルを把握することが可能である。また、サムネイル画像に劣化加工を施すことによって、感覚的にも録画日時が古い録画タイトルであることが把握しやすいという利点がある。
（実施形態２）
【００１９】
（実施形態２：概要）本実施形態は、サムネイル画像の劣化加工処理として、サムネイル画像を退色させる処理を実行することを特徴とするコンテンツ記録再生装置について説明する。
【００２０】
（実施形態２：構成）本実施形態に係るコンテンツ記録再生装置の機能ブロック図を図８に例示する。コンテンツ記録再生装置（０８００）は、「自動消去部」（０８０１）と、「消去時間情報管理部」（０８０２）と、「サムネイル画像保持部」（０８０３）と、「サムネイル加工部」（０８０４）と、を有する。また、サムネイル加工部（０８０４）は、「退色手段」（０８０５）を有する。
【００２１】
「退色手段」（０８０５）は、サムネイル画像の劣化加工処理としてサムネイル画像を退色させる処理を実行する機能を有する。「サムネイル画像を退色させる」とは、例えば彩度を低くすることによってくすんだ色にする場合等が該当する。また、図５にて例示したように、消去時間に応じて段階的に退色させるようになっていてもよい。このようになっていると、一般的な感覚として退色の度合いが強いものはより古く感じられる傾向があるため、ユーザも録画日時がより古い録画タイトルを一見して把握しやすいと思われる。
【００２２】
（実施形態２：処理の流れ）図９は、本実施形態に係るコンテンツ記録再生装置における処理の流れを示すフロー図を例示する。コンテンツ記録再生装置は、各々の録画タイトルについて以下の処理を実行する。
【００２３】
最初に、ステップＳ０９０１において消去時間情報を取得する。この処理は、主に消去時間情報管理部によって実行される。次に、ステップＳ０９０２において消去時間情報に応じてサムネイル画像を退色させる処理を実行する。この処理は、主に退色手段によって実行される。次に、ステップＳ０９０３において録画タイトルが消去すべきであるかを判断する。ここでの判断が消去すべきであるとの判断結果であった場合にはステップＳ０９０４に移行する。ここでの判断が消去すべきではないとの判断であった場合には処理を終了する。次に、ステップＳ０９０４において録画タイトルを自動消去する。この処理は、主に自動消去部によって実行される。
【００２４】
（実施形態２：効果）本実施形態に係るコンテンツ記録再生装置は、サムネイル画像の劣化加工処理として退色処理を施すことができるため、ユーザは録画日時が古い録画タイトルを一見して把握することができる。
（実施形態３）
【００２５】
（実施形態３：概要）本実施形態は、劣化加工されたサムネイル画像を劣化加工前の状態に戻すことが可能なコンテンツ記録再生装置について説明する。
【００２６】
（実施形態３：構成）本実施形態に係るコンテンツ記録再生装置の機能ブロック図を図１０に例示する。コンテンツ記録再生装置（１０００）は、「自動消去部」（１００１）と、「消去時間情報管理部」（１００２）と、「サムネイル画像保持部」（１００３）と、「サムネイル加工部」（１００４）と、を有する。また、サムネイル加工部（１００４）は、「サムネイル加工取消手段」（１００６）を有する。また、サムネイル加工部（１００４）はさらに退色手段を有していてもよい。すなわち、本実施形態に係るコンテンツ記録再生装置は、実施形態１又は２におけるコンテンツ記録再生装置の構成に「サムネイル加工取消手段」を加えた構成となっている。
【００２７】
「サムネイル加工取消手段」（１００６）は、劣化加工されたサムネイル画像を劣化加工前の状態に戻す機能を有する。「劣化加工前の状態に戻す」とは、全く劣化加工されていない状態に戻す場合であってもよいし、前述のように消去時間に応じて段階的に劣化加工を施すようになっている場合には幾つか前の段階に戻すような場合であってもよい。また、劣化加工前の状態に戻す場合には、サムネイル画像保持部にて保持されているサムネイル画像を原画として保持しておき、サムネイル画像保持部から原画であるサムネイル画像を取得することで劣化加工前の状態に戻すようになっている場合等が想定される。また、図１１に例示するように、例えばサムネイル加工取消手段において‘サッカー中継Ｘ’の劣化加工したサムネイル画像（１１０１）を劣化加工前の状態に戻した（１１０２）場合、消去時間情報管理部にて管理している消去時間情報（１１０３）も同時に変更されるようになっていてもよい。例えば、録画タイトルが録画されてから消去されるまでの時間が１４日である場合には、‘サッカー中継Ｘ’の消去時間が現在の消去時間から１４日に変更されるようになっていてもよい。また、劣化加工前の状態に戻された録画タイトルは自動消去を実行しないように設定される等となっていてもよい。また、消去時間情報管理部にて管理している消去時間情報が変更された場合には、自動的にサムネイル加工取消手段によって劣化加工前の状態に戻されるようになっていてもよい。
【００２８】
（実施形態３：処理の流れ）図１２は、本実施形態に係るコンテンツ記録再生装置における処理の流れを示すフロー図を例示する。コンテンツ記録再生装置は、各々の録画タイトルについて以下の処理を実行する。
【００２９】
最初に、ステップＳ１２０１においてサムネイル画像の劣化加工の取消を行なうか判断する。ここでの判断が取り消すとの判断結果であった場合には、ステップＳ１２０２に移行する。ここでの判断が取り消さないとの判断結果であった場合には、本ステップを繰り返す。次に、ステップＳ１２０２において劣化加工済みサムネイル画像の元のサムネイル画像を取得する。次に、ステップＳ１２０３において取消し内容に応じて元のサムネイル画像を劣化加工する。この処理は、主にサムネイル加工取消手段によって実行される。次に、ステップＳ１２０４において劣化加工し直したサムネイル画像を取消し前のサムネイル画像に代えて表示する。
【００３０】
（実施形態３：効果）本実施形態に係るコンテンツ記録再生装置は、劣化加工したサムネイル画像を劣化加工前の状態に戻すことが可能であるため、例えば消去時間の変更が可能である場合などに消去時間を変更するとともにサムネイル画像も元の状態に戻すこと等が可能である。
（実施形態４）
【００３１】
（実施形態４：概要）本実施形態は、保持されているサムネイル画像を他のサムネイル画像に変更可能であり、サムネイル画像が変更された場合、変更されたサムネイル画像に対して変更前のサムネイル画像と同程度の劣化加工を施すことを特徴とするコンテンツ記録再生装置について説明する。
【００３２】
（実施形態４：構成）本実施形態に係るコンテンツ記録再生装置の機能ブロック図を図１３に例示する。コンテンツ記録再生装置（１３００）は、「自動消去部」（１３０１）と、「消去時間情報管理部」（１３０２）と、「サムネイル画像保持部」（１３０３）と、「サムネイル加工部」（１３０４）と、「サムネイル画像変更部」（１３０７）と、を有する。また、サムネイル加工部（１３０４）は、「変更サムネイル加工手段」（１３０８）を有する。また、サムネイル加工部（１３０４）はさらに退色手段を有していてもよい。また、サムネイル加工部（１３０４）はさらにサムネイル加工取消手段を有していてもよい。すなわち、本実施形態に係るコンテンツ記録再生装置は、実施形態１から３のいずれか一におけるコンテンツ記録再生装置の構成に「サムネイル画像変更部」と「変更サムネイル加工手段」とを加えた構成となっている。
【００３３】
「サムネイル画像変更部」（１３０７）は、保持されているサムネイル画像を他のサムネイル画像に変更する機能を有する。「保持されているサムネイル画像」とは、サムネイル画像保持部（１３０３）にて保持されているサムネイル画像を指す。サムネイル画像変更部でサムネイル画像を変更する場合とは、例えばユーザが録画タイトルを表すサムネイル画像を任意で他のサムネイル画像に変更したい場合に利用すること等が想定される。サムネイル画像変更部は、例えば録画リスト上のサムネイル画像をダブルクリックするとサムネイル画像を設定するための設定画面が表示され、ユーザが他のサムネイル画像を指定することにより設定できる等となっていると便利である。サムネイル画像変更部は、例えばこのようなサムネイル画像の設定画面においてユーザが他のサムネイル画像を指定すると、図３に例示したように録画タイトルと関連付けられてＨＤＤ等の所定の記憶領域に格納されているサムネイル画像の画像データが指定されたサムネイル画像の画像データに変更される。また、サムネイル画像変更部はこのような処理をＣＰＵに実行させるためのプログラムを含んでいてもよい。
【００３４】
「変更サムネイル加工手段」（１３０８）は、サムネイル画像変更部（１３０７）にて変更されたサムネイル画像に対して、変更前のサムネイル画像と同程度の劣化加工を施す機能を有する。「サムネイル画像変更部にて変更されたサムネイル画像に対して、変更前のサムネイル画像と同程度の劣化加工を施す」とは、例えば変更前のサムネイル画像に対して３０％退色させる劣化加工が施されていた場合、サムネイル画像変更部（１３０７）にてサムネイル画像が変更された際に同様に３０％退色させる劣化加工が施される場合等が該当する。よって、変更前のサムネイル画像においてどのように劣化加工が施されたかの情報がＲＡＭ等の記憶領域に保持されており、その情報を利用して変更後のサムネイル画像に劣化加工を施すことが想定される。図１４は、変更サムネイル加工手段における処理の具体例を示す。まずサムネイル画像変更部（１４０１）にて‘ドラマＡ’のサムネイル画像１４０４が他のサムネイル画像１４０５に変更されたとする。すると、サムネイル画像保持部（１４０２）においては、‘ドラマＡ’に関連付けられてＨＤＤ等の所定の記憶領域に保持されていたサムネイル画像１４０４が、サムネイル画像１４０５に変更されることとなる。ここで、例えばサムネイル加工部（１４０３）において‘ドラマＡ’の変更前のサムネイル画像１４０４に対して図６に例示したように７０％退色させてさらに７０％トリミングする劣化加工処理が施されていた（１４０６）とすると、‘ドラマＡ’のサムネイル画像が変更されたことをトリガーとして、変更サムネイル加工手段（１４０８）において変更後のサムネイル画像１４０５に対しても７０％退色させてさらに７０％トリミングする劣化加工処理が施される（１４０７）こととなる。
【００３５】
（実施形態４：処理の流れ）図１５は、本実施形態に係るコンテンツ記録再生装置における処理の流れを示すフロー図を例示する。コンテンツ記録再生装置は、各々の録画タイトルについて以下の処理を実行する。
【００３６】
最初に、ステップＳ１５０１においてサムネイル画像の変更を行なうか判断する。ここでの判断が変更するとの判断であった場合にはステップＳ１５０２に移行する。ここでの判断が変更しないとの判断であった場合には本ステップを繰り返す。次に、ステップＳ１５０２において現在のサムネイル画像の劣化加工に関する情報である劣化情報を取得する。次に、ステップＳ１５０３において変更後のサムネイル画像の画像データを取得する。次に、ステップＳ１５０４において変更後のサムネイル画像に対して劣化情報に基づいて変更前のサムネイル画像と同程度の劣化加工を施す。この処理は、主に変更サムネイル加工手段によって実行される。
【００３７】
（実施形態４：効果）本実施形態に係るコンテンツ記録再生装置は、保持されているサムネイル画像を変更し、変更されたサムネイル画像に対しても変更前のサムネイル画像と同程度の劣化加工を施すことが可能であるため、例えばユーザが任意に他のサムネイル画像に変更したい場合でも、変更前と同様に消去時間情報に応じた劣化加工を施して録画リスト上などに表示することができる。
（実施形態５）
【００３８】
（実施形態５：概要）本実施形態は、自動消去の対象となる録画タイトルと、自動消去の対象とならない録画タイトルとを自動消去部から識別可能に保持することが可能なコンテンツ記録再生装置について説明する。
【００３９】
（実施形態５：構成）本実施形態に係るコンテンツ記録再生装置の機能ブロック図を図１６に例示する。コンテンツ記録再生装置（１６００）は、「自動消去部」（１６０１）と、「消去時間情報管理部」（１６０２）と、「サムネイル画像保持部」（１６０３）と、「サムネイル加工部」（１６０４）と、「録画タイトル保持部」（１６０９）と、を有する。また、サムネイル加工部（１６０４）はさらに退色手段を有していてもよい。また、サムネイル加工部（１６０４）はさらにサムネイル加工取消手段を有していてもよい。また、コンテンツ記録再生装置（１６００）はさらにサムネイル画像変更部を有し、サムネイル加工部（１６０４）は変更サムネイル加工手段を有していてもよい。すなわち、本実施形態に係るコンテンツ記録再生装置は、実施形態１から４のいずれか一におけるコンテンツ記録再生装置の構成に「録画タイトル保持部」を加えた構成となっている。
【００４０】
「録画タイトル保持部」（１６０９）は、自動消去対象となる録画タイトルと、自動消去の対象とならない録画タイトルとを自動消去部（１６０１）から識別可能に保持する機能を有する。図１７は、録画タイトル保持部にて保持される情報の一例を示す。図１７においては、「録画タイトル名」と、録画タイトル名で示される録画タイトルが自動消去の対象となっているか否かを表す「自動消去対象」が関連付けられている。ここで、「自動消去対象」が‘Ｎ’となっている場合には自動消去の対象となっていないことを表し、‘Ｙ’となっている場合には自動消去の対象となっていることを表しているものとする。すなわち図１７の例においては、‘ドラマＡ’と‘ドラマＢ’は自動消去の対象となっておらず、‘サッカー中継Ｘ’と‘野球中継Ｙ’は自動消去の対象となっている。録画タイトル保持部は、例えばこのように録画タイトルと自動消去対象であるか否かを示す情報を関連付けてＨＤＤ等の所定の記憶領域に格納することにより実現可能である。また、録画タイトル保持部にて保持される情報は、ユーザの任意によって変更可能となっていると便利である。なぜならば、録画タイトルの内容によってユーザが自動消去されたくない録画タイトルも存在する場合があると思われ、そのような場合には録画タイトルごとに自動消去の対象とするか否かを設定するような設定画面などを介してユーザが設定を行ない、それにともなって、図１７における「自動消去対象」の値が変更されるようになっているとよい。また、録画当初は自動消去の対象となっていた録画タイトルを後に自動消去の対象外となるように変更した場合には、劣化加工済みのサムネイル画像を元に戻すようになっていてもよい。また、録画当初は自動消去の対象外となっていた録画タイトルを後に自動消去の対象となるように変更した場合には、対象となった際にサムネイル画像の劣化加工を行なうようになっていてもよい。また、自動消去部（１６０１）は消去時間情報管理部（１６０２）にて管理されている消去時間情報に応じて録画タイトルの消去を行なうが、録画タイトル保持部にて保持されている情報にも基づいて自動消去の対象となっていない録画タイトルは消去しないこととなる。
【００４１】
（実施形態５：処理の流れ）図１８は、本実施形態に係るコンテンツ記録再生装置における処理の流れを示すフロー図を例示する。コンテンツ記録再生装置は、各々の録画タイトルについて以下の処理を実行する。
【００４２】
最初に、ステップＳ１８０１において自動消去の対象となっているか判断する。ここでの判断が対象となっているとの判断結果であった場合にはステップＳ１８０２に移行する。ここでの判断が対象外であるとの判断結果であった場合には本ステップを繰り返す。次に、ステップＳ１８０２において消去時間情報を取得する。この処理は、主に消去時間情報管理部によって実行される。次に、ステップＳ１８０３において消去時間情報に応じてサムネイル画像を劣化加工する。この処理は、主にサムネイル画像加工部によって実行される。
【００４３】
（実施形態５：効果）本実施形態に係るコンテンツ記録再生装置は、自動消去の対象となる録画タイトルと、自動消去の対象とならない録画タイトルとを自動消去部から識別可能に保持することができるため、例えばユーザが自動消去されたくない録画タイトルがあった場合には、該当する録画タイトルを指定して自動消去されないようにすることができる。
（実施形態６）
【００４４】
（実施形態６：概要）本実施形態は、サムネイル画像の劣化加工の実行の要否を決定することが可能なコンテンツ記録再生装置について説明する。
【００４５】
（実施形態６：構成）本実施形態に係るコンテンツ記録再生装置の機能ブロック図を図１９に例示する。コンテンツ記録再生装置（１９００）は、「自動消去部」（１９０１）と、「消去時間情報管理部」（１９０２）と、「サムネイル画像保持部」（１９０３）と、「サムネイル加工部」（１９０４）と、「サムネイル劣化加工実行決定部」（１９１０）と、を有する。また、サムネイル加工部（１９０４）はさらに退色手段を有していてもよい。また、サムネイル加工部（１９０４）はさらにサムネイル加工取消手段を有していてもよい。また、コンテンツ記録再生装置（１９００）はさらにサムネイル画像変更部を有し、サムネイル加工部（１９０４）は変更サムネイル加工手段を有していてもよい。また、コンテンツ記録再生装置（１９００）はさらに録画タイトル保持部を有していてもよい。すなわち、本実施形態に係るコンテンツ記録再生装置は、実施形態１から５のいずれか一におけるコンテンツ記録再生装置の構成に「サムネイル劣化加工実行決定部」を加えた構成となっている。
【００４６】
「サムネイル劣化加工実行決定部」（１９１０）は、サムネイル加工部（１９０４）におけるサムネイル画像の劣化加工の実行の要否を決定する機能を有する。「サムネイル画像の劣化加工の実行の要否」とは、すべてのサムネイル画像に対して劣化加工を実行するか否かを示すものであってもよいし、サムネイル画像ごとに劣化加工を実行するか否かを示すものであってもよい。図２０は、サムネイル画像ごとに劣化加工の実行要否を表す情報の一例である。図２０においては、「録画タイトル名」と、録画タイトル名で示される録画タイトルが劣化加工を実行するか否かを示す「劣化加工要否」が関連付けられている。ここで、「劣化加工要否」が‘Ｎ’となっている場合には劣化加工を実行しないことを表し、‘Ｙ’となっている場合には劣化加工を実行することを表しているものとする。すなわち図２０の例においては、‘野球中継Ｙ’のみが劣化加工を実行しないとの設定になっており、他の録画タイトルに関しては劣化加工を実行するとの設定になっている。サムネイル劣化加工実行決定部は、例えばこのように録画タイトルと劣化加工を実行するか否かを示す情報を関連付けてＨＤＤ等の所定の記憶領域に格納している場合が想定される。また、サムネイル劣化加工実行決定部においては、これらの設定を変更できるようになっているようになっていてもよい。また、例えば実施形態５にて説明したように録画タイトルごとに自動消去の対象とするか否かを設定できるようになっている場合には、自動消去の対象となっていない録画タイトルについては自動的に劣化加工も行なわない設定となるようになっていてもよい。なぜならば、サムネイル画像の劣化加工は録画タイトルの自動消去が近づいていることを表すものであるので、自動消去を行なわない録画タイトルについては劣化加工を行なうことは無意味であり無駄な処理となるからである。
【００４７】
（実施形態６：処理の流れ）図２１は、本実施形態に係るコンテンツ記録再生装置における処理の流れを示すフロー図を例示する。コンテンツ記録再生装置は、各々の録画タイトルについて以下の処理を実行する。
【００４８】
最初に、ステップＳ２１０１においてサムネイル画像の劣化加工の実行の要否の決定入力の受付けを行なう。この処理は、主にサムネイル劣化加工実行決定部によって実行される。次に、ステップＳ２１０２においてサムネイル画像の劣化加工が必要であるか判断する。ここでの判断が必要であるとの判断であった場合にはステップＳ２１０３に移行する。ここでの判断が必要ではないとの判断であった場合にはステップＳ２１０４に移行する。次に、ステップＳ２１０３においてサムネイル画像を劣化加工する。この処理は、主にサムネイル画像加工部によって実行される。次に、ステップＳ２１０４において録画タイトルを消去すべきであるかを判断する。ここでの判断が消去すべきであるとの判断結果であった場合にはステップＳ２１０５に移行する。ここでの判断が消去すべきではないとの判断であった場合にはステップＳ２１０１に移行する。次に、ステップＳ２１０５において録画タイトルを自動消去する。この処理は、主に自動消去部によって実行される。
【００４９】
（実施形態６：効果）本実施形態に係るコンテンツ記録再生装置は、サムネイル画像の劣化加工の実行の要否を決定することができるので、例えばユーザにとって興味のない録画タイトルで自動消去が近いことを知らせる必要もないような録画タイトルについては劣化加工を行なわない等の設定が可能である。これにより、不要な処理を省くことができる。
（実施形態７）
【００５０】
（実施形態７：概要）本実施形態は、サムネイル画像の劣化加工に関してパラメータを設定できることを特徴とするコンテンツ記録再生装置について説明する。
【００５１】
（実施形態７：構成）本実施形態に係るコンテンツ記録再生装置の機能ブロック図を図２２に例示する。コンテンツ記録再生装置（２２００）は、「自動消去部」（２２０１）と、「消去時間情報管理部」（２２０２）と、「サムネイル画像保持部」（２２０３）と、「サムネイル加工部」（２２０４）と、を有する。また、サムネイル加工部（２２０４）は、「劣化加工パラメータ設定手段」（２２１１）を有する。また、サムネイル加工部（２２０４）はさらに退色手段を有していてもよい。また、サムネイル加工部（２２０４）はさらにサムネイル加工取消手段を有していてもよい。また、コンテンツ記録再生装置（２２００）はさらにサムネイル画像変更部を有し、サムネイル加工部（２２０４）は変更サムネイル加工手段を有していてもよい。また、コンテンツ記録再生装置（２２００）はさらに録画タイトル保持部を有していてもよい。また、コンテンツ記録再生装置（２２００）はさらにサムネイル劣化加工実行決定部を有していてもよい。すなわち、本実施形態に係るコンテンツ記録再生装置は、実施形態１から６のいずれか一におけるコンテンツ記録再生装置の構成に「劣化加工パラメータ設定手段」を加えた構成となっている。
【００５２】
「劣化加工パラメータ設定手段」（２２１１）は、サムネイル画像の劣化加工に関するパラメータを設定する機能を有する。図２３は、劣化加工パラメータ設定手段にて保持されている情報の一例を示す。図２３においては、図５に例示したように劣化加工の方法が４通りある場合を示しており、「劣化加工」で示される劣化加工方法ごとに各種のパラメータが設定されている。例えば、３０％退色させる劣化加工においては、サムネイル画像の彩度を３０％低くし、明度も１０％低くすることが設定されている。また、例えば７０％トリミングする場合には彩度や明度は変更せず、画像を変形する方法として、左上から７０％をトリミングするように設定されている。劣化加工パラメータ設定手段は、例えばこのような情報をＨＤＤ等の所定の記憶領域に保持している場合が想定される。また、これらのパラメータはユーザ等により変更可能となっていてもよい。その場合には劣化加工方法ごとに各種のパラメータを設定するような設定画面などを介してユーザが設定を行ない、それにともなって、図２３における「パラメータ」の値が変更されるようになっているとよい。
【００５３】
（実施形態７：処理の流れ）図２４は、本実施形態に係るコンテンツ記録再生装置における処理の流れを示すフロー図を例示する。コンテンツ記録再生装置は、各々の録画タイトルについて以下の処理を実行する。
【００５４】
最初に、ステップＳ２４０１においてサムネイル画像の劣化加工に関するパラメータを設定する。この処理は、主に劣化加工パラメータ設定手段によって実行される。次に、ステップＳ２４０２において消去時間情報を取得する。この処理は、主に消去時間情報管理部によって実行される。次に、ステップＳ２４０３において消去時間情報に応じ、設定されている劣化加工に関するパラメータに基づいてサムネイル画像を劣化加工する。この処理は、主にサムネイル画像加工部によって実行される。次に、ステップＳ２４０４において録画タイトルを消去すべきであるかを判断する。ここでの判断が消去すべきであるとの判断結果であった場合にはステップＳ２４０５に移行する。ここでの判断が消去すべきではないとの判断であった場合にはステップＳ２４０１に移行する。次に、ステップＳ２４０５において録画タイトルを自動消去する。この処理は、主に自動消去部によって実行される。
【００５５】
（実施形態７：効果）本実施形態に係るコンテンツ記録再生装置は、サムネイル画像の劣化加工に関してパラメータを設定できるので、例えばユーザの好みによって劣化加工の加工具合を調整する等が可能である。
（実施形態８）
【００５６】
（実施形態８：概要）本実施形態は、録画タイトルが録画されてから経過した時間に応じて録画タイトルを表示するサムネイル画像を劣化加工することを特徴とするコンテンツ記録再生装置について説明する。
【００５７】
（実施形態８：構成）本実施形態に係るコンテンツ記録再生装置の機能ブロック図を図２６に例示する。コンテンツ記録再生装置（２６００）は、「録画後経過時間情報管理部」（２６０１）と、「第二サムネイル画像保持部」（２６０２）と、「第二サムネイル加工部」（２６０３）と、を有する。また、第二サムネイル加工部（２６０３）はさらに第二退色手段を有していてもよい。また、第二サムネイル加工部（２６０３）はさらに第二サムネイル加工取消手段を有していてもよい。また、コンテンツ記録再生装置（２６００）はさらに第二サムネイル画像変更部を有し、第二サムネイル加工部（２６０３）は第二変更サムネイル加工手段を有していてもよい。また、コンテンツ記録再生装置（２６００）はさらに第二サムネイル劣化加工実行決定部を有していてもよい。また、第二サムネイル加工部（２６０３）はさらに第二劣化加工パラメータ設定手段を有していてもよい。なお、第二退色手段は実施形態２にて説明した退色手段と、第二サムネイル加工取消手段は実施形態３にて説明したサムネイル加工取消手段と、第二サムネイル画像変更部は実施形態４にて説明したサムネイル画像変更部と、第二変更サムネイル加工手段は実施形態４にて説明した変更サムネイル加工手段と、第二サムネイル劣化加工実行決定部は実施形態６にて説明したサムネイル劣化加工実行決定部と、第二劣化加工パラメータ設定手段は実施形態７にて説明した劣化加工パラメータ設定手段と、その機能は同様であるので、ここでの説明は省略する。
【００５８】
「録画後経過時間情報管理部」（２６０１）は、録画タイトルが録画されてから経過した時間に関する情報である録画後経過時間情報を管理する機能を有する。「管理」とは、保持、変更、削除、追加を意味する。「録画後経過時間情報」は、録画タイトルが録画されてから経過した時間そのものを表す情報であってもよいが、録画タイトルが録画された日時などを表す情報であってもよい。録画タイトルが録画された日時が分かれば、録画タイトルが録画されてから経過した時間を算出することができるからである。図２７は、録画後経過時間情報の一例を示す。図２７においては、録画されている録画タイトルを表す「録画タイトル名」と、各録画タイトルが録画されてから経過した時間である「経過時間」が保持されている。録画後経過時間情報管理部は、例えばこのような録画後経過時間情報をＨＤＤ等の所定の記憶領域に格納することにより実現可能である。
【００５９】
「第二サムネイル画像保持部」（２６０２）は、録画タイトルをＧＵＩにて表示するサムネイル画像を保持する機能を有する。第二サムネイル画像保持部の機能は、実施形態１にて説明したサムネイル画像保持部の機能と同様であるので、ここでの説明は省略する。
【００６０】
「第二サムネイル加工部」（２６０３）は、録画後経過時間情報に応じて録画後経過時間が長時間となればなるほど録画タイトルを表示するサムネイル画像を劣化加工する機能を有する。第二サムネイル画像の機能は、実施形態１で説明したサムネイル加工部の機能と同様であるが、サムネイル加工部は消去時間情報に応じてサムネイル画像を劣化加工するのに対し、第二サムネイル加工部は録画後経過時間情報に応じてサムネイル画像を劣化加工する点のみが異なる。
【００６１】
（実施形態８：処理の流れ）図２８は、本実施形態に係るコンテンツ記録再生装置における処理の流れを示すフロー図を例示する。コンテンツ記録再生装置は、各々の録画タイトルについて以下の処理を実行する。
【００６２】
最初に、ステップＳ２８０１において録画後経過時間情報を取得する。この処理は、主に録画後経過時間情報管理部によって実行される。次に、ステップＳ２８０２において録画後経過時間情報に応じてサムネイル画像を劣化加工する。この処理は、主に第二サムネイル画像加工部によって実行される。
【００６３】
（実施形態８：効果）本実施形態に係るコンテンツ記録再生装置は、録画タイトルが録画されてから経過した時間を、サムネイル画像を劣化加工して表示することにより示すことができるため、録画リスト上が煩雑にならず、ユーザも一見して古くなった録画タイトルを把握することが可能である。また、サムネイル画像に劣化加工を施すことによって、感覚的にも録画日時が古い録画タイトルであることが把握しやすいという利点がある。
【図面の簡単な説明】
【００６４】
【図１】実施形態１に係るコンテンツ記録再生装置の機能ブロック図
【図２】消去時間情報の一例図
【図３】サムネイル画像保持部にて保持される情報の一例図
【図４】サムネイル画像の劣化加工の具体例
【図５】サムネイル加工部にて保持される情報の一例図
【図６】劣化加工されたサムネイル画像によって録画リストが表示される場合の具体例
【図７】実施形態１に係るコンテンツ記録再生装置の処理の流れを示すフロー図
【図８】実施形態２に係るコンテンツ記録再生装置の機能ブロック図
【図９】実施形態２に係るコンテンツ記録再生装置の処理の流れを示すフロー図
【図１０】実施形態３に係るコンテンツ記録再生装置の機能ブロック図
【図１１】サムネイル加工取消手段における処理の具体例
【図１２】実施形態３に係るコンテンツ記録再生装置の処理の流れを示すフロー図
【図１３】実施形態４に係るコンテンツ記録再生装置の機能ブロック図
【図１４】変更サムネイル加工手段における処理の具体例
【図１５】実施形態４に係るコンテンツ記録再生装置の処理の流れを示すフロー図
【図１６】実施形態５に係るコンテンツ記録再生装置の機能ブロック図
【図１７】録画タイトル保持部にて保持される情報の一例図
【図１８】実施形態５に係るコンテンツ記録再生装置の処理の流れを示すフロー図
【図１９】実施形態６に係るコンテンツ記録再生装置の機能ブロック図
【図２０】サムネイル劣化加工実行決定部にて保持される情報の一例図
【図２１】実施形態６に係るコンテンツ記録再生装置の処理の流れを示すフロー図
【図２２】実施形態７に係るコンテンツ記録再生装置の機能ブロック図
【図２３】劣化加工パラメータ設定手段にて保持される情報の一例図
【図２４】実施形態７に係るコンテンツ記録再生装置の処理の流れを示すフロー図
【図２５】一般的なコンピュータの構成を例示する図
【図２６】実施形態８に係るコンテンツ記録再生装置の機能ブロック図
【図２７】録画後経過時間情報の一例図
【図２８】実施形態８に係るコンテンツ記録再生装置の処理の流れを示すフロー図
【符号の説明】
【００６５】
０１００  コンテンツ記録再生装置
０１０１  自動消去部
０１０２  消去時間情報管理部
０１０３  サムネイル画像保持部
０１０４  サムネイル加工部
０８０５  退色手段
【図１】
2008035147.tif 000003
【図２】
2008035147.tif 000004
【図３】
2008035147.tif 000005
【図４】
2008035147.tif 000006
【図５】
2008035147.tif 000007
【図６】
2008035147.tif 000008
【図７】
2008035147.tif 000009
【図８】
2008035147.tif 000010
【図９】
2008035147.tif 000011
【図１０】
2008035147.tif 000012
【図１１】
2008035147.tif 000013
【図１２】
2008035147.tif 000014
【図１３】
2008035147.tif 000015
【図１４】
2008035147.tif 000016
【図１５】
2008035147.tif 000017
【図１６】
2008035147.tif 000018
【図１７】
2008035147.tif 000019
【図１８】
2008035147.tif 000020
【図１９】
2008035147.tif 000021
【図２０】
2008035147.tif 000022
【図２１】
2008035147.tif 000023
【図２２】
2008035147.tif 000024
【図２３】
2008035147.tif 000025
【図２４】
2008035147.tif 000026
【図２５】
2008035147.tif 000027
【図２６】
2008035147.tif 000028
【図２７】
2008035147.tif 000029
【図２８】
2008035147.tif 000030